(57)【要約】【課題】ヒューズ装着部周辺にヒューズが落下可能な開口および隙間をなくし、メンテナンス時の作業性を向上させる。【解決手段】ヒューズ装着部を備えるケース本体にロアカバーとアッパーカバーを被せ、該アッパーカバーには前記ヒューズ装着部の上方にメンテナンス用の開口を設けると共に該開口をヒューズカバーで開閉し、かつ、前記ヒューズ装着部に上方より装着されるヒューズに対して下方から接続する電線群をロアカバーの内部を通して、該ロアカバーに設けた電線引出部より引き出している電気接続箱において、前記ケース本体のヒューズ装着部周辺に設ける格子部の開口を、前記ヒューズが脱落不可な大きさとすると共に、該ヒューズ装着部周辺のケース本体と前記アッパーカバーとの隙間に、ケース本体側あるいは／およびアッパーカバー側から突起を設けて、該隙間の幅を前記ヒューズが隙間に入り込まない幅とし、前記ヒューズ装着部の周辺には、前記ヒューズがロアカバー側に脱落する開口および隙間が無い構成としている【選択図】図１
2007325465.tif 000002
【特許請求の範囲】
【請求項１】
ヒューズ装着部を備えるケース本体にロアカバーとアッパーカバーを被せ、該アッパーカバーには前記ヒューズ装着部の上方にメンテナンス用の開口を設けると共に該開口をヒューズカバーで開閉し、かつ、前記ヒューズ装着部に上方より装着されるヒューズに対して下方から接続する電線群をロアカバーの内部を通して、該ロアカバーに設けた電線引出部より引き出している電気接続箱において、
前記ケース本体のヒューズ装着部周辺に設ける格子部の開口を、前記ヒューズが脱落不可な大きさとすると共に、該ヒューズ装着部周辺のケース本体と前記アッパーカバーとの隙間に、ケース本体側あるいは／およびアッパーカバー側から突起を設けて、該隙間の幅を前記ヒューズが隙間に入り込まない幅とし、前記ヒューズ装着部の周辺には、前記ヒューズがロアカバー側に脱落する開口および隙間が無い構成としていることを特徴とする電気接続箱。
【請求項２】
前記ケース本体にはリレー装着部も設け、該リレー装着部と前記ヒューズ装着部を除く領域に前記格子部を設けている請求項１に記載の電気接続箱。
【発明の詳細な説明】
【技術分野】
【０００１】
本発明は、電気接続箱に関し、特に、ヒューズ交換時において、ヒューズがロアケース側に脱落するのを防止するものである。
【背景技術】
【０００２】
従来、自動車に搭載するヒューズ等を収容している電気接続箱では、ヒューズ装着部が形成されているケース本体をロアカバーに対し上方から装着し、アッパーカバーをケース本体に被せてロアカバーとロック結合している。前記ヒューズ装着部には上方からヒューズを差し込み接続すると共に、該ヒューズに接続する電線をロアカバー側から引き込んでいる。ヒューズ装着部に多数のヒューズを装着すると、ヒューズ装着部の周辺が高温となるため、ヒューズ装着部周縁の本体ケースは格子状として放熱用の開口を設けている場合が多い。
【０００３】
メンテナンス時やヒューズ溶断時にヒューズを交換する際、ヒューズ装着部周辺に前記開口があると、作業者が誤ってヒューズを落とすと、前記開口からロアカバー側にヒューズが落下する場合がある。この場合、ケース本体とロアカバーとを分離する必要があり、作業手数が非常にかかる問題がある。
【０００４】
また、特開２００２−３４５１２６号公報（特許文献１）で提供されている電気接続箱では、図８に示すように、アッパーカバーによって覆われるケース本体１の電気部品装着面２に、リレーを装着するリレー装着部３と、リレー装着部３と隙間Ｓ１をあけて設けられているヒューズ装着部４と、ヒューズ装着部４およびリレー装着部３とは離間して設けられているバスバー保護壁５とを備えている。前記バスバー保護壁５が立設している電気部品装着面２はリレー装着部３およびヒューズ装着部４の電気部品装着面２よりも一段低くなっており、バスバー保護壁５周辺には空間Ｓ２が存在する。
【０００５】
前記構成の電気接続箱では、メンテナンス時のヒューズ交換の際に、ヒューズ装着部４とリレー装着部３との間の前記隙間Ｓ１や、バスバー保護壁５の周辺の空間Ｓ２にヒューズが落下して挟み込まれると、取り出すのが困難であり、わざわざケース本体１をロアカバーから取り外してヒューズを取り出さなければならない場合もあるため、作業性が悪くなり、作業者の負担となる。
【０００６】
【特許文献１】特開２００２−３４５１２６号公報
【発明の開示】
【発明が解決しようとする課題】
【０００７】
本発明は、前記問題に鑑みてなされたものであり、ヒューズ装着部周辺にヒューズが脱落可能な開口および隙間を排除し、メンテナンス時の作業性を向上させることを課題としている。
【課題を解決するための手段】
【０００８】
上記課題を解決するために、本発明は、ヒューズ装着部を備えるケース本体にロアカバーとアッパーカバーを被せ、該アッパーカバーには前記ヒューズ装着部の上方にメンテナンス用の開口を設けると共に該開口をヒューズカバーで開閉し、かつ、前記ヒューズ装着部に上方より装着されるヒューズに対して下方から接続する電線群をロアカバーの内部を通して、該ロアカバーに設けた電線引出部より引き出している電気接続箱において、
前記ケース本体のヒューズ装着部周辺に設ける格子部の開口を、前記ヒューズが脱落不可な大きさとすると共に、該ヒューズ装着部周辺のケース本体と前記アッパーカバーとの隙間に、ケース本体側あるいは／およびアッパーカバー側から突起を設けて、該隙間の幅を前記ヒューズが隙間に入り込まない幅とし、前記ヒューズ装着部の周辺には、前記ヒューズがロアカバー側に脱落する開口および隙間が無い構成としていることを特徴とする電気接続箱を提供している。
【０００９】
本発明の電気接続箱は、ヒューズ交換の際、ロアカバーとアッパーカバーはロック結合したままの状態で、アッパーカバー上面の開口に装着されているヒューズカバーのみを取り外し、ケース本体のヒューズ装着部を露出させてヒューズを交換する構成からなる。
この構成の電気接続箱において、前記本発明のヒューズ装着部周辺のケース本体と前記アッパーカバーとの隙間に、ケース本体側あるいは／およびアッパーカバー側から突起を設けると、アッパーケースとケース本体の間にヒューズが入り込む隙間がない。さらに、格子部の開口をヒューズが脱落不可な大きさとしているので、ヒューズ装着部の格子部の開口にもヒューズが入り込むことがない。
このように、前記ヒューズ装着部の周辺には、前記ヒューズがロアカバー側に脱落する開口および隙間を無くしているため、ヒューズを交換する際に、作業者が誤ってヒューズを落下させたとしても、アッパーケースを取り外すことなくケース本体の表面から容易にヒューズを拾い上げることができるので、メンテナンス時の作業性が向上すると共に、作業者の負担を削減することができる。
【００１０】
また、電気接続箱のロアカバー側にヒューズが落下することがないので、ロアカバーの内部に引き込まれる電線群が傷つきやすい非ハロゲン電線の場合でも、ヒューズが接触して前記電線の被膜が損傷することがなく、メンテナンス時に発生する問題を無くすことができる。
さらに、ケース本体に設ける格子部の開口を狭くしているだけで、開口を塞いでいないので、ヒューズ装着部周縁の過熱を抑制することができる。
【００１１】
前記ケース本体にはリレー装着部も設け、該リレー装着部と前記ヒューズ装着部を除く領域に前記格子部を設けているのが好ましい。
【発明の効果】
【００１２】
前述したように、本発明によれば、電気接続箱のヒューズ装着部の周辺に、ヒューズがロアカバー側に脱落する開口および隙間が無くしているため、ヒューズを交換する際に、作業者が誤ってヒューズを落下させても、ヒューズがロアカバー側へ落ち込むことがないと共に、ケース本体とアッパーケースとの隙間に入り込んでしまうことがない。よって、ヒューズを落下させても、ケース本体から容易にヒューズを拾い上げることができ、ケース本体、アッパーカバー、ロアカバーを分解する必要はなく、メンテナンス時の作業性が向上すると共に、作業者の負担を削減することができる。
【発明を実施するための最良の形態】
【００１３】
本発明の実施形態を図面を参照して説明する。
図１乃至図６は本発明の第１実施形態を示す。
本発明の電気接続箱１０は、図１および図２（Ａ）（Ｂ）に示すように、ジャンクションブロック１１とリレーブロック１２とを一体的に備えるケース本体１３と、該ケース本体１３を上部に収容するロアカバー１４と、前記ケース本体１３の上面に被せて該ロアカバー１４とロック結合するアッパーカバー１５とを備えている。
【００１４】
前記アッパーカバー１５の上面１５ａは、アッパーカバー１５とは別体のヒューズカバー（図示せず）を取り付けるための取付開口１５ｂを設けている。
電気接続箱１０に収容されるヒューズ（図示せず）を交換する際には、アッパーカバー１５とロアカバー１４でケース本体１３を収容している状態で、ヒューズカバーのみを取り外し、前記取付開口１５ｂを通してヒューズを交換できるようにしている。
【００１５】
図３に示すように、前記ジャンクションブロック１１には、ケース本体１３の側縁に沿って複数のヒューズ装着部１１ａが形成されると共に、ヒューズ装着部１１ａ周辺の該側縁には所定箇所に嵌合開口１３ａを有する切欠部１３ｂが設けられている。
また、図４（Ａ）（Ｂ）に示すように、前記リレーブロック１２には、ヒューズ装着部１２ａおよびリレー装着部１２ｂを形成している。前記ヒューズ装着部１２ａおよび前記リレー装着部１２ｂを除く領域には、開口１２ｃを有する格子部１２ｄを設けており、該開口１２ｃはヒューズが脱落不可な大きさとしている。
【００１６】
図１に示すように、ロアカバー１４の一側面には筒状の電線引出部１４ａを設け、ロアカバー１４の上部に装着されているケース本体１３のヒューズ装着部１１ａ、１２ａに装着されるヒューズに対して下方から接続している電線群Ｗを、ロアカバー１４内部を通して前記電線引出口１４ａより引き出している。
【００１７】
図５に示すように、前記アッパーカバー１５は、上述したように、ケース本体１３のヒューズ装着部１１ａ、１２ａに対向する上面１５ａに取付開口１５ｂを有し、該取付開口１５ｂにはヒューズカバーが着脱自在に取り付けられる。前記ヒューズ装着部１１ａ、１２ａ周辺のアッパーカバー１５の周壁１５ｃには、該周壁１５ｃを内方に長さＬ１だけ突出させた突起１５ｄを設け、図６（Ａ）（Ｂ）に示すように、（削除）前記ヒューズが入り込まない幅としている。
【００１８】
前記ケース本体１３の切欠部１３ｂと対向する位置のアッパーカバー１５の周壁内面１５ｅには、断面三角形状の落下防止リブ１５ｆが前記突起１５ｄの下部からロアカバー１４側に向かって延在して設けている。前記落下防止リブ１５ｆの幅は、対向するケース本体１３の前記切欠部１３ｂの嵌合開口１３ａに嵌合可能な幅とし、図６（Ａ）（Ｂ）に示すように、該落下防止リブ１５ｆがケース本体１３の切欠部１３ｂに嵌め合わされ、前記切欠部１３ｂの嵌合開口１３ａを塞いでいる。
【００１９】
前記構成とすると、ジャンクションブロック１１では、前記突起１５ｄがアッパーカバー１５とケース本体１３との隙間を無くしていると共に、アッパーカバー１５の周壁内面１５ｅに突設した落下防止リブ１５ｆがケース本体１３の切欠部１３ｂの嵌合開口１３ａを塞き、ヒューズ装着部１１ａ周辺にヒューズが入り込む隙間および開口がない。
従って、ヒューズ装着部１１ａに装着されるヒューズを交換する際に、作業者が誤ってヒューズを落下させたとしても、アッパーカバー１５とケース本体１３の間にヒューズが入り込むことがなく、ヒューズ交換の作業性が向上すると共に、作業者の負担を削減することができる。
また、リレーブロック１２では、前記格子部１２ｄの開口１２ｃをヒューズが入り込まない大きさとしているので、ヒューズが格子部１２ｄ内に入ってしまうことがなく、ヒューズを落下させたとしても、容易にヒューズを拾い上げることができる。
【００２０】
図７は本発明の第２実施形態を示し、アッパーカバー１５側に第１実施形態の前記突起１５ｄは設けず、ジャンクションブロック１１のヒューズ装着部１１ａの周辺のケース本体１３周縁から突起１３ｄを設け、ヒューズ装着部１１ａ周辺のアッパーカバー１５とケース本体１３との隙間Ｌ２’をヒューズが入り込まない幅としている。
なお、他の構成および作用効果は第１実施形態と同様のため、同一の符号を付して説明を省略する。
また、図７（Ｃ）に示すように、アッパーカバー１５の突起１５ｄとケース本体１３の突起１３ｄの両方を設けても良い。
【図面の簡単な説明】
【００２１】
【図１】本発明の第１実施形態に係る電気接続箱の平面図である。
【図２】図１の電気接続箱を示す図であり、（Ａ）は正面図、（Ｂ）は右側面図である。
【図３】ジャンクションボックスを示す要部を拡大した平面図である。
【図４】リレーボックスを示す図であり、（Ａ）は平面図、（Ｂ）は要部を拡大した断面図である。
【図５】アッパーカバーを示す図であり、（Ａ）は斜視図、（Ｂ）は右側面図であり、（Ｃ）は（Ａ）のＡ−Ａ線断面図である。
【図６】（Ａ）はアッパーカバーとケース本体とがロック結合している状態の要部を拡大した平面図、（Ｂ）はＢ−Ｂ線断面図である。
【図７】第２実施形態を示す図であり、（Ａ）はアッパーカバーとケース本体とがロック結合している状態の要部を拡大した平面図であり、（Ｂ）は（Ａ）のＣ−Ｃ線断面図であり、（Ｃ）は（Ｂ）の変形例を示す図である。
【図８】従来例を示す図であり、（Ａ）は電気接続箱の平面図、（Ｂ）は（Ａ）の要部を拡大した斜視図である。
【符号の説明】
【００２２】
１０  電気接続箱
１１  ジャンクションブロック
１１ａ  ヒューズ装着部
１２  リレーブロック
１２ａ  ヒューズ装着部
１２ｂ  リレー装着部
１２ｃ  開口
１２ｄ  格子部
１３  ケース本体
１３ｂ  切欠部
１４  ロアカバー
１４ａ  電線引出部
１５  アッパーカバー
１５ａ  上面
１５ｂ  取付開口
１５ｄ  突起
１５ｆ  落下防止リブ
Ｗ  電線群
【図１】
2007325465.tif 000003
【図２】
2007325465.tif 000004
【図３】
2007325465.tif 000005
【図４】
2007325465.tif 000006
【図５】
2007325465.tif 000007
【図６】
2007325465.tif 000008
【図７】
2007325465.tif 000009
【図８】
2007325465.tif 000010